(57)【要約】【課題】原稿台から読み取るべき印刷データを、印刷用紙の表面に印刷する印刷装置であって、読み取り方向が上下逆にはならない印刷装置及び印刷方法を提供することを目的とする。【解決手段】原稿台から読み取るべき印刷データを、印刷用紙の表面に印刷する印刷装置であって、原稿台から読み取るべき印刷データを、印刷用紙の表面に印刷する印刷装置であって、原稿台に付与されている読み取り基準位置と、印刷用紙の読み取りの方向とを合わせるためのマークを、印刷用紙の裏面に印刷するマーク印刷手段を有する印刷装置である。【選択図】図３
2009113282.tif 000002
【特許請求の範囲】
【請求項１】
原稿台から読み取るべき印刷データを、印刷用紙の表面に印刷する印刷装置であって、
原稿台に付与されている読み取り基準位置と、印刷用紙の読み取りの方向とを合わせるためのマークを、印刷用紙の裏面に印刷するマーク印刷手段を有することを特徴とする印刷装置。
【請求項２】
請求項１において、
印刷用紙の原稿台から読み取るための印刷データを、上向きにして排紙する排紙手段を有することを特徴とする印刷装置。
【請求項３】
請求項２において、
上記マーク印刷手段は、上記マークの印字濃度を、上記表面の印刷濃度よりも低くする手段であることを特徴とする印刷装置。
【請求項４】
請求項１において、
上記マーク印刷手段は、原稿台に付与されている読み取り基準位置と印刷用紙の読み取りの方向とを合わせることを促すガイダンスを、印刷用紙の読み取りの方向を合わせるためのマークと共に印刷する手段であることを特徴とする印刷装置。
【請求項５】
原稿台から読み取るべき印刷データを、印刷用紙の表面に印刷する印刷方法であって、
原稿台に付与されている読み取り基準位置と、印刷用紙の読み取りの方向とを合わせるためのマークを、マーク印刷手段が、印刷用紙の裏面に印刷するマーク印刷工程を有することを特徴とする印刷方法。
【発明の詳細な説明】
【技術分野】
【０００１】
本発明は印刷装置、特に原稿読み取り機構を備え、印刷用紙の裏面にマークを印刷可能な印刷装置に関する。
【背景技術】
【０００２】
従来の印刷装置には、付与されたマーク情報を読み取り、この読み取った情報に基づいて、様々な制御を行う装置が提供されている。このような装置には、印刷用紙のマーク情報を読み取って印刷対象のデータを印刷用紙に収まるように制御する装置が知られている（たとえば、特許文献１参照）。
【０００３】
また、印刷用紙の裏面にマークを付与する装置として、裏面自動的にミス印刷面を明示するために裏面にマークを付与する装置が知られている（たとえば、特許文献２参照）。
【特許文献１】特開平９−１８３４２７号公報（第９頁、図５）
【特許文献２】特開２００２−５９６０６号公報（第８頁、図５）
【発明の開示】
【発明が解決しようとする課題】
【０００４】
従来の原稿読み取り装置は、原稿台に付与されている読み取り基準位置が必ずしも決まった位置にはない。よって、上記従来例では、原稿台に付与されている読み取り基準位置と、印刷用紙を裏面にした場合の印刷用紙の読み取り方向とが明確ではない。
【０００５】
したがって、上記従来例では、読み取り方向が上下逆になることがあるという問題がある。
【０００６】
本発明は、読み取り方向が上下逆にはならない印刷装置及び印刷方法を提供することを目的とする。
【課題を解決するための手段】
【０００７】
本発明は、原稿台から読み取るべき印刷データを、印刷用紙の表面に印刷する印刷装置であって、原稿台に付与されている読み取り基準位置と、印刷用紙の読み取りの方向とを合わせるためのマークを、印刷用紙の裏面に印刷するマーク印刷手段を有する印刷装置である。
【発明の効果】
【０００８】
本発明は、印刷用紙の読み取り方向を合わせるためのマークを印刷用紙の裏面に印刷する制御部が、原稿台に付与されている読み取り基準位置と、印刷用紙の裏面のどの位置に合わせるかを明確にする。したがって、本発明によれば、読み取り方向が上下逆になることがなく、ユーザの誤操作を低減し、読み取り方向が上下逆になることを少なくすることができるという効果を奏する。
【発明を実施するための最良の形態】
【０００９】
発明を実施するための最良の形態は、次の実施例である。
【実施例１】
【００１０】
図１は、本発明の実施例１である印刷装置ＰＲ１の制御部分の中心を示すブロック構成図である。
【００１１】
印刷装置ＰＲ１は、ＣＰＵ１と、ＲＯＭ２と、ＲＡＭ３と、ＣＲ制御部４と、ＬＦ制御部５と、両面印刷制御部６と、ヘッド制御部７と、印字制御部８と、データ解析部９と、印字バッファ制御部１０とを有する。また、印刷装置ＰＲ１は、ホストＩ／Ｆ部１１と、画像読取制御部１２と、システムバス１３とを有する。
【００１２】
ＣＰＵ１は、中央演算処理装置であり、ＲＯＭ２に内蔵され、たとえば、図２に示すフローチャートが示す制御手順プログラム等に従って印刷装置ＰＲ１の全体の制御を行う。
【００１３】
ＲＡＭ３は、ＣＰＵ１のワークエリアと、ホストＩ／Ｆ部１１が受信したデータを格納するメモリ領域、または印字データを格納するメモリ領域として使用される。
【００１４】
ＣＲ制御部４は、キャリッジモータの駆動制御を行う。ＬＦ制御部５は、ラインフィードモータの駆動制御を行う。両面印刷制御部６は、両面印刷機構の駆動制御を行う。ヘッド制御部７は、記録ヘッドと電気的に接続され、ヘッドの温度を温度センサで感知し、ヒータ等で適切な温度制御を行う場合等に、記録ヘッドの駆動制御を行う。
【００１５】
印字制御部８は、各制御部から送られた印字データに基づいて、ＣＲ制御部４、ＬＦ制御部５、ヘッド制御部７、両面印刷制御部６の各制御部に、印字に必要な制御命令を行う。
【００１６】
データ解析部９は、ホストＩ／Ｆ部１１が受信したデータを解析し、印字制御部８または印字バッファ制御部１０に送る。印字バッファ制御部１０は、データ解析部９が解析したデータから、ＲＡＭ３上にある印字データを格納するメモリ領域の大きさと数量との制御を行う。
【００１７】
ホストＩ／Ｆ部１１は、ホストコンピュータ等から受信したデータを受信する。データ解析部９は、ホストＩ／Ｆ部１１で受信したデータを解析し、印字制御部８に送る。
【００１８】
画像読取制御部１２は、画像を光学的に読み取り、読み取ったデータをＲＡＭ３上に格納する。システムバス１３は、上記各構成部とＣＰＵ１とをつなぐバスである。
【００１９】
ＣＰＵ１と印字制御部８とは、原稿台に付与されている読み取り基準位置と、印刷用紙の読み取りの方向とを合わせるためのマークを、印刷用紙の裏面に印刷するマーク印刷手段の例である。
【００２０】
次に、印刷装置ＰＲ１の原稿台に付与されている読み取り基準位置と、印刷用紙の読み取りの方向とを合わせるためのマークを印刷する動作について説明する。
【００２１】
図２は、印刷装置ＰＲ１において、マークの印字濃度を低くして印刷用紙の裏面に印刷され、印刷用紙の原稿台から読み取るための印刷データが上向きの状態で、排紙される動作を示すフローチャートである。
【００２２】
図３は、印刷装置ＰＲ１が出力した印刷用紙２０の読み取りの方向を合わせるためのマークを、原稿台に付与されている読み取り基準位置Ｐ１に合わせた状態を示す図である。
【００２３】
スキャナ１４の上に、原稿読み取り基準位置Ｐ１が設けられ、また、印刷用紙２０の読み取りの方向を合わせるためのマークＭ１が設けられている。
【００２４】
図２に示すフローチャートは、印刷装置ＰＲ１の印字画像原稿台に付与されている原稿読み取り基準位置Ｐ１と、印刷用紙２０の読み取りの方向を合わせるためのマークＭ１とを印刷する動作を示すフローチャートである。この際、マークＭ１の印字濃度を、表面の印字濃度よりも低くして印刷用紙２０の裏面に印刷され、印刷用紙２０の原稿台から読み取るための印刷データを、上向きにして排紙する。
【００２５】
なお、図２に示すフローチャートに対応するプログラムが、ＲＯＭ２に格納され、このプログラムをＣＰＵ１が実行する。
【００２６】
まず、Ｓ１で、印字制御部８が、印刷用紙２０の裏面に、印刷用紙２０の読み取りの方向を合わせるためのマークＭ１を印刷するモードであるかどうかを判断する。Ｓ１での判断の結果、マークＭ１を印刷するモードであれば、Ｓ２で、給紙動作を行う。Ｓ３で、原稿台に付与されている原稿読み取り基準位置Ｐ１と、印刷用紙２０の読み取りの方向とを合わせるためのマークＭ１を、印字濃度の低いデータとして、ＲＡＭ３上に格納する。Ｓ４では、Ｓ３でＲＡＭ３上に格納されているデータを印刷する。
【００２７】
Ｓ５で、両面印刷制御部６が、印刷用紙２０の表裏を反転した後に、給紙動作を行う。Ｓ６で、印字制御部８が、読み取りを行う表面（おもてめん）のデータを、ＲＡＭ３上に生成し、印刷する。Ｓ７で、排紙し、動作を終了する。
【００２８】
Ｓ１での判断の結果、マークＭ１を印刷するモードでないと判断すれば、Ｓ８で、通常の給紙動作を行う。Ｓ９で、通常の印刷を行い、Ｓ１０で、排紙し、動作を終了する。
【００２９】
上記実施例によれば、印刷用紙２０の読み取りの方向を合わせるためのマークＭ１を、印刷用紙２０の裏面に印刷するので、原稿読み取りの際に印刷用紙２０を裏面にした場合、どの方向に合わせるかが明確になる。これによって、ユーザの誤操作が低減し、読み取り方向が上下逆になることを軽減させることができる。上記実施例は、原稿読み取り機構を有する記録装置に適用することができる。
【００３０】
上記実施例は、インクジェット方式のプリンタ装置であるが、他の記録方式を採用している印刷装置に、上記実施例を適用することができる。
【００３１】
つまり、上記実施例は、印刷用紙２０の読み取り方向を合わせるためのマークＭ１を印刷用紙２０の裏面に印刷する制御部が、原稿台に付与されている原稿読み取り基準位置Ｐ１と、印刷用紙２０の裏面のどの位置に合わせるかを明確にする。したがって、上記実施例によれば、読み取り方向が上下逆になることがなく、ユーザの誤操作を低減し、読み取り方向が上下逆になることを軽減させることができる。
【００３２】
また、上記実施例によれば、印刷用紙２０の読み取り方向を合わせるためのマークＭ１を先に印刷し、印刷用紙２０の表面（おもてめん）に印刷する原稿台から読み取るための印刷データを次に印刷する。したがって、上記実施例によれば、印刷用紙２０の原稿台から読み取るための印刷データが上向きにして排紙されるので、原稿台から読み取るための印刷データを印刷することを目的としたユーザに、意図したデータが印刷されていることを確認することができる。
【００３３】
さらに、上記実施例によれば、上記印刷装置において、印刷用紙２０の裏面に印刷される読み取りの方向を合わせるためのマークＭ１の印字濃度を、上記表面の印刷濃度よりも低くする。したがって、上記実施例によれば、表面（おもてめん）への裏写りを軽減することができる。また、印刷用紙２０の読み取りの方向を合わせるためのマークＭ１を印刷する面を先に濃度を低くして印刷するので、表面（おもてめん）印刷の乾燥待ち時間を最小限にすることができる。
【００３４】
しかも、上記実施例は、上記印刷装置において、原稿台の原稿読み取り基準位置Ｐ１に合わせることを促すガイダンスを、印刷用紙２０の読み取りの方向を合わせるためのマークＭ１と共に印刷する。したがって、上記実施例によれば、表示部だけではガイダンスの内容を表現しきれない装置であっても、印刷用紙２０の読み取りの方向をどの向きに合わせるかが明確になるので、ユーザの誤操作が低減し、読み取り方向が上下逆になることを少なくすることができる。
【図面の簡単な説明】
【００３５】
【図１】本発明の実施例１である印刷装置ＰＲ１の制御部分の中心を示すブロック構成図である。
【図２】印刷装置ＰＲ１において、マークＭ１の印字濃度を低くして印刷用紙２０の裏面に印刷され、印刷用紙２０の原稿台から読み取るための印刷データが上向きの状態で排紙される動作を示すフローチャートである。
【図３】印刷装置ＰＲ１が出力した印刷用紙２０の読み取りの方向を合わせるためのマークＭ１を、原稿台に付与されている原稿読み取り基準位置Ｐ１に合わせた状態を示す図である。
【符号の説明】
【００３６】
ＰＲ１…印刷装置、
１…ＣＰＵ、
２…ＲＯＭ、
３…ＲＡＭ、
４…ＣＲ制御部、
５…ＬＦ制御部、
６…両面印刷制御部、
７…ヘッド制御部、
８…印字制御部、
９…データ解析部、
１０…印字バッファ制御部、
１１…ホストＩ／Ｆ部、
１２…画像読取制御部、
１３…システムバス、
１４…スキャナ、
２０…印刷用紙、
Ｐ１…原稿読み取り基準位置、
Ｍ１…印刷用紙２０の読み取りの方向を合わせるためのマーク。
【図１】
2009113282.tif 000003
【図２】
2009113282.tif 000004
【図３】
2009113282.tif 000005